(57)【要約】【目的】本発明は、建築構造物内に個人、家族または特定団体単位にセル形態の別途の独立空間を配分して、故人の納骨及び遺品を保管すると同時に空間内でお墓参りが行われる納骨室を備えた独立区画型納骨施設を提供する。【構成】本発明は、独立の建築構造物内に多数個の納骨室が個別的に区画されるようにセル形態で配置されて一括管理が可能であり、それぞれの前記納骨室は出入り統制のための出入り口が設置され、個人、家族または特定団体単位別に納骨や遺品を保管すると同時にお墓参りを行う空間が形成されたことを特徴とする。【選択図】図１
2004509245.tif 000002
【特許請求の範囲】
【請求項１】
独立の建築構造物内に多数個の納骨室が個別的に区画されるようにセル形態で配置されて一括管理が可能であり、
それぞれの前記納骨室は出入り統制のための出入り口が設置され、個人、家族または特定団体単位別に納骨や遺品を保管すると同時にお墓参りを行う空間が形成されたことを特徴とする独立区画型納骨施設。
【請求項２】
前記納骨室の出入り口に対向する側壁には故人の納骨を保管する納骨箱や遺品を保管する遺品箱が設置され、前記納骨箱や遺品箱の上側には位牌と遺影が設置され、納骨箱や遺品箱の前面空間にはお墓参りと休息のための空間が確保されるように構成されることを特徴とする請求項１に記載の独立区画型納骨施設。
【請求項３】
建築構造物内に多数個に独立区画されながらネットワークによって相互連結し、内部にお墓参りの空間が形成され、
前記お墓参りの空間を監視したりお墓参りを撮影するために無人カメラが設置され、
前記無人カメラを制御し、前記無人カメラから映像資料を受信されたり故人と関連した情報資料を保管管理し、前記ネットワークに接続されてオンラインを通じて外部と連結しているコンピュータ装置が設置され、
前記コンピュータ装置と連結して前記コンピュータ装置で処理された情報資料をディスプレイするディスプレイ装置が設置されることを特徴とするネットワーク基盤の独立区画型納骨室。
【請求項４】
出入りを統制するための出入り口が設置され、前記お墓参りの空間には前記故人の納骨や遺品を保管する納骨箱と遺品箱が設置され、前記納骨箱と遺品箱の上側には位牌と遺影が配置され、前記位牌と遺影の前方には祭壇が設置されることを特徴とする請求項３に記載のネットワーク基盤の独立区画型納骨室。
【請求項５】
前記コンピュータ装置は前記ネットワークを通じてインターネットに連結していることを特徴とする請求項３に記載のネットワーク基盤の独立区画型納骨室。
【発明の詳細な説明】
【０００１】
【発明の属する技術分野】
本発明は独立区画型納骨施設に関し、より詳しくは建築構造物内に個人、家族または特定団体単位にセル形態の別途の独立空間を配分して、故人の納骨及び遺品を保管すると同時に空間内でお墓参りが行われる納骨室を備えた独立区画型納骨施設に関する。
【０００２】
さらに、本発明は多数個の納骨室を連結しているネットワークインフラを構築し、外部とインターネットなどのオンラインを通じて連結することで、各種情報を共有し、お墓参りを中継できるようにした納骨室に関する。
【０００３】
【従来の技術】
毎年、限定の土地で爆増する墓地面積による国土の雑食化は土地使用の効率性を低下させるだけでなく、環境を破壊し、自然災害などを誘発しているため、墓地造成制度に対する変化が要求されている。
【０００４】
最近、埋葬中心の慣行が伝統的に続いている国家では、国土と環境を守るための新しい墓地造成文化を定立すべき認識が広範囲に広まっている。こうした社会的な認識の変化は、土地の効率的な活用とともに伝統的な墓地造成文化の誤った因習を改善して望ましい墓地造成制度の提案を切実に要求している。
【０００５】
このような要求に応じて、従来の風水地理及び孝に関する誤認識による火葬の否定的な先入観から逸脱して納骨に対して社会的に再認識されつつあるため、納骨施設の全般に対して新発想が必要になっている。特に、嫌悪感の対象である納骨施設を環境親和的な現代式建築構造物の形態で施工することで、周囲環境の危害性を最小化させるのが望ましい。
【０００６】
【発明が解決しようとする課題】
しかし、既存の納骨施設は単純に納骨された骨を保管する水準であるため、納骨施設自体が嫌悪または忌避の対象になり、また、骨の保管が長期間経過しながら事後管理を効率的に実施できなくて周囲環境に対して親和出来ないという問題がある。
【０００７】
さらに、既存の納骨施設は単純に故人の納骨を保管する次元のサービスのみを 提供するだけで、家族や親戚の多様な欲求に対処できない限界がある。よって、故人と関連している情報を体系的に管理し、分散されている資料を集合することで、親族共同体と関連している家族の歴史を一目瞭然に把握する必要がある。また、このような資料を常にどの場所でも閲覧できるようにする必要もある。
【０００８】
また、故人を記念する忌日やお正月等に訪問が難しい遠距離及び海外居住の親戚の場合には、お墓参りに参加できないことで、精神的な負担感を増大させるという問題がある。
【０００９】
本発明は前記のような社会的、時代的な墓地造成文化の改善要求に応じて国土の相当部分が墓地化して行く問題点を解消するために提案される。
【００１０】
よって、本発明の目的は、納骨施設が作られる空間を遺族及び近隣住民の休息と文化の空間で併用して活用できるようにすることにある。
【００１１】
本発明の他の目的は、納骨施設を現代的な建築構造物で施工することで、土地の活用度の極大化、周囲環境の危害性の最小化及び施設管理の効率性の向上を図ることにある。
【００１２】
本発明のまた他の目的は、納骨施設内にセル形態で区画される納骨室を個人、家族または特定団体単位に配分して運用することで、連帯感を強化させて隔離空間内で安らかにお墓参りが行われるようにすることにある。
【００１３】
本発明のまた他の目的は、納骨室内で実施されるお墓参りをオンラインでリアルタイム転送することで、同じ時間帯に遠隔地や海外居住の遺族にもお墓参りに間接的に参加できるようにすることにある。
【００１４】
本発明のまた他の目的は、故人と関連している各種資料を多様に体系的に整理管理し、オンラインを通じてこれらを常に閲覧できるようにすることで、家族の歴史に関心を高めて連帯感を強化することにある。
【００１５】
【課題を解決するための手段】
前記目的を達成するために、本発明は、独立の建築構造物内に多数個の納骨室が個別的に区画されるようにセル形態で配置されて一括管理が可能であり、それぞれの納骨室は出入り統制のための出入り口が設置され、個人、家族または特定団体単位別に納骨や遺品を保管すると同時にお墓参りを行う空間が形成される。
【００１６】
また、納骨室の出入り口に対向する側壁には故人の納骨を保管する納骨箱や遺品を保管する遺品箱が設置され、納骨箱や遺品箱の上側には位牌と遺影が設置され、納骨箱や遺品箱の前面空間にはお墓参りと休息のための空間が確保されるように構成される。
【００１７】
また、それぞれの納骨室はネットワークによって相互連結し、納骨室の内部にはお墓参りの空間を監視したりお墓参りを撮影するための無人カメラ、無人カメラを制御し、無人カメラから映像資料を受信されたり故人と関連している情報資料を保管管理し、ネットワークに接続されてオンラインを通じて外部と連結しているコンピュータ装置、及びコンピュータ装置と連結して前記コンピュータ装置で処理された情報資料をディスプレイするディスプレイ装置が各々設置される。
【００１８】
それぞれの納骨室に設置されたコンピュータ装置はネットワークを通じてインターネットに連結している。
【００１９】
【発明の実施の形態】
以下、添付図面に基づき、本発明の好適実施例を詳細に説明する。
図１は本発明による納骨施設が施工される納骨公園の構成図で、図２は本発明による納骨施設の鳥瞰図で、図３は本発明による納骨施設の平面図で、図４は本発明の一実施例による納骨室の内部構成図である。
【００２０】
図１に示すように、公園内の一側には現代式建物で施工される納骨施設を多数個の洞（Ａ、Ｂ、Ｃ）に区分施工し、公園内の他側には文化センター１０、彫刻公園２０、植物園３０または池４０などを建設して遺族または近隣住民の休息空間として活用する。また、寺５０または教会堂及び火葬施設の墓地造成便宜施設を備え、この各施設間の適切な場所には駐車場６０及び休憩施設７０などのような各種便宜施設を設置する。未説明符号８０は公園管理洞である。
【００２１】
このように、本発明による納骨施設を備えた公園に施工されるビル形式の建築構造物１００に層別Ｆ１、Ｆ２、Ｆ３、Ｆ４に数百個の納骨室１１０、１２０…１９０がセル（ｃｅｌｌ）形態で独立的に区画配置され、中央で一括管理できるように構成される。これと共に納骨室を利用する遺族及び訪問者の便宜のための休憩施設及び便宜施設２１０、２２０…２６０が層別に提供される。
【００２２】
建築物の形状は周囲環境を考慮して任意に設計でき、図に示すように、中央集中式の円形構造物で設計したり通常の直角構造物で形成できる。また、美観を考慮して彫刻または噴水３００等の造形物を設置するのも望ましい。
【００２３】
図４を参照すれば、本発明による納骨室４００は、既存の引出し式納骨保管箱の構造から脱皮して個人、家族または特定団体単位に行われるお墓参りのための空間を用意するのに主眼点をおいた。
【００２４】
納骨室４００は個人単独で分譲されたり家族単位で分譲されることができ、また特定団体（例えば、宗中、門中、宗教団体、外国人団体）単位で分譲されることができる。
【００２５】
例えば、家族単位で分譲されて運営する場合、納骨室内の遺骨箱には父母の遺骨を保管し、遺品箱には生前の所蔵遺品を保管することで、家族らは納骨室でいつでもこれらを見ることができる。
【００２６】
また、忌日やお正月には納骨室４００内でお墓参りを行うが、お墓参りの空間４５０は参加遺族を収容する空間として利用されたり、お墓参りの後に談笑や休憩の空間でも活用される。
【００２７】
また、お墓参りに必要な用品または飲食は管理者側で常時提供できるようにすることで、遺族の便宜を図ることも望ましい。
【００２８】
納骨室の構造を見れば、納骨室の一側には出入り口４１０が開閉可能に設置され、家族や親戚だけが出入りできるようにロック装置（図示せず）が設置される。望ましくは暗号設定機能を備えて分譲時にそれを付与できる。
【００２９】
出入り口４１０の対向側面には納骨箱及び遺品箱４２０を形成し、この納骨箱及び遺品箱４２０の上側には位牌４３０を祭るようにし、壁面には故人の遺影４４０を付着させる。
【００３０】
納骨箱及び遺品箱４２０の前面には収容空間４５０を形成して、遺族が忌日またはお正月にお墓参りをしたり、お墓参りの後に休息空間としても活用する。
【００３１】
このように構成される納骨施設は各種文化施設及び便宜施設を備えた公園内に施工されているため、納骨施設を利用する遺族は勿論、直接的に納骨施設物を利用しなくても、公園を訪問する近隣住民のような訪問者が納骨施設に親近感を持つことで、納骨による墓地造成文化のイメージを刷新するのに寄与できる。
【００３２】
すなわち、文化センターでは青少年または老人向けの文化行事を年中実施して納骨施設物が忌避の対象物でなく、生活空間とともに存在する親近な対象だと認識させることができ、休日やお正月に彫刻公園または植物園に行く家族単位の行楽客にも納骨施設物に対する先入観を転換させることができる利点がある。
【００３３】
このように、本発明による納骨施設の納骨室は各々別途の出入り口を通じて訪問できるため、遺族の便宜によって所望の時間に訪問して納骨室を利用できる。お墓参りの時には遺族の必要に応じてお墓参りの用品を貸与したり、お墓参りの飲食を低廉で供給することで、現代人らが忙しくて予め準備できないお墓参りの準備過程を代行することになる。
【００３４】
納骨室の内部構造は遺族の所望によって最新のインテリアで飾ることができるので、故人の生前の性分や家風や選好度によって適切なコンセプトで設計及び施工できる。したがって、納骨室を訪問する遺族及び親戚とそれらの子供達が家風を学ぶ教育の場としての機能も行うことになる。
【００３５】
また、それぞれの納骨室は中央統制室において納骨施設物の周囲の環境変化によって室内の温度及び湿度を管理するので、納骨及び遺品が壊されないように精密な管理が実施され、納骨施設物に無断侵入する外部侵入者の監視及び火災による遺品損失の事故は自体管理または専門管理業者による委託管理に代替されて科学的で体系的な管理システムが実現されるので、遺族らが安心して故人の納骨と遺品を保管できる。
【００３６】
図５は本発明によるネットワーク基盤の独立区画型納骨室の内部構成図で、図６は本発明に適用されるネットワーク構成図である。
【００３７】
本発明の他の実施例によれば、後述のように、それぞれの納骨室を個別クライアントとするイントラネットを構築し、例えば、インターネットと連結してそれぞれの納骨室から各種資料を外部に転送できる。
【００３８】
図５を参照すれば、納骨室の天井には納骨室の内部を全体的に眺望できる位置に無人カメラ４６０を設置し、納骨室の一側には無人カメラ４６０と連結して無人カメラ４６０を制御し、無人カメラ４６０から転送される画像を格納するコンピュータ装置４７０を設置する。
【００３９】
コンピュータ装置４７０には故人の人的事項、死亡日、趣味または遺言などの各種資料が体系的に整理され格納され、故人の生存時の肉声及び姿も動画で格納される。
【００４０】
一方、納骨室の一側壁面にはコンピュータ装置４７０と連結しているディスプレイパネル４８０を付着して格納された故人の資料を多様にディスプレイできる。
【００４１】
図６を参照すれば、それぞれの納骨室に設置されたコンピュータ装置４７０は中央で運営する納骨施設サーバー５００に連結し、納骨施設サーバー５００を通じてインターネットに連結する。また、インターネットを通じて遠隔地や海外居住遺族クライアント６００と連結する。ここでは一般的に公知のネットワーク連結構成に対して説明しましたが、他の形態で構成しても関係なく、これに対する詳細は後述する。
【００４２】
このように構成される本発明の他の実施例による納骨室を利用して行われるお墓参りや画像転送や資料閲覧に対する手順に対して説明する。
【００４３】
お墓参りが進行される間には無人カメラ４６０がお墓参りを撮影してその動画を転送すれば、コンピュータ装置４７０はこれを納骨施設サーバー５００に転送し、これをインターネットを通じて遠隔地や海外居住遺族クライアント６００に転送する。すなわち、遺族クライアント６００側で見れば、自身のコンピュータ装置を通じてインターネットに接続後、納骨施設サーバー５００に連結して関連納骨室から転送される動画をリアルタイムで提供される。これに関連した技術は一般的なものなので、その詳細は省略する。
【００４４】
したがって、お墓参りに参加できない遠隔地や海外遺族は転送の動画を通じて間接的に参加することで、心理的な満足感が得られる。
【００４５】
また、同様な方式にてお墓参りの終了後には親戚らとの画像対話を通じて挨拶や安否を尋ねたり、お墓参りに関連した日程を告知する等、連帯を強化できる。
【００４６】
さらに、無人カメラ４６０は平常時に納骨室４００の内部に侵入する外部人を監視する保安の機能を行うことになる。
【００４７】
一方、コンピュータ装置４７０には故人に関連した資料が体系的に整理されて多様な形態で格納され、これらの資料は必要に応じていつでも閲覧できる。また、お墓参りを進行したり遺族、親戚が訪問する場合、ディスプレイパネル４８０を通じてこの資料をディスプレイする。例えば、生前に撮影した姿を肉声と共に動画で提供したり、予め製作した家系の歴史などを見せることで、子供達に教育の場としての役割も担当することになる。
【００４８】
【発明の効果】
このように構成される本発明によれば、納骨室が所定空間内に大規模で集積化して単位面積当たり最大規模の納骨が保管できることで、土地の活用度を極大化できる。さらに、現代化した建築構造物を採択することで、半永久的に納骨が安置された状態で何代にもわたり家族納骨堂として利用できる長所がある。
【００４９】
また、納骨室は納骨施設内で各々個別的にセル形態で区画されるため、外部との遮断効果が優れ、外部環境からの保護管理が容易である。
【００５０】
また、本発明による独立区画型納骨施設は現代式建築構造物で施工されるため、都市近郊または都心地内に施工されても周辺景観に肯定的な建築物として機能できるので、忌避の対象物である納骨施設物を近隣住民が好むことのできるようにすることで、墓地造成文化の改善を図ることができる。また、望ましくは建築構造物を耐震に強いように設計することで、頻繁に発生する地震に対する安全度を向上させることができる。
【００５１】
また、無人カメラを設置してお墓参りの時の画像を外部に転送できるので、海外居住遺族のようにお墓参りに直接参加出来ない遺族に間接的ながら参加できる機会を提供することで、遺族の間の連帯感を強化させることができると共に、平常時には納骨室の保安機能も行うことができる。
【００５２】
そして、故人の生存時及び死亡時の諸般資料を文字及び画像で格納管理でき、 このように保管資料を直ちに画面にディスプレイできることで、子供達に家系の歴史を一目瞭然に視聴覚的に教育させることができる教育プログラムの役割も行うことができる。
【図面の簡単な説明】
【図１】
本発明による納骨施設が施工される納骨公園の構成図である。
【図２】
本発明による納骨施設の鳥瞰図である。
【図３】
本発明による納骨施設の平面図である。
【図４】
本発明の一実施例による納骨室の内部構成図である。
【図５】
本発明によるネットワーク基盤の独立区画型納骨室の内部構成図である。
【図６】
本発明に適用されるネットワーク構成図である。
【符号の説明】
１０　文化センター
２０　彫刻公園
３０　植物園
４０　池
５０　寺
６０　駐車場
７０　休憩施設
８０　公園管理洞
１００　ビル形式の建築構造物
１１０、１２０…１９０、４００　納骨室
２１０、２２０…２６０　休憩施設及び便宜施設
３００　噴水
４１０　出入り口
４２０　納骨箱及び遺品箱
４３０　位牌
４４０　遺影
４５０　お墓参りの空間
４６０　無人カメラ
４７０　コンピュータ装置
４８０　ディスプレイパネル
５００　納骨施設サーバー
６００　遠隔地や海外居住遺族クライアント
【図１】
2004509245.tif 000003
【図２】
2004509245.tif 000004
【図３】
2004509245.tif 000005
【図４】
2004509245.tif 000006
【図５】
2004509245.tif 000007
【図６】
2004509245.tif 000008
【国際公開パンフレット】
2004509245.tif 000009
2004509245.tif 000010
2004509245.tif 000011
2004509245.tif 000012
2004509245.tif 000013
2004509245.tif 000014
2004509245.tif 000015
2004509245.tif 000016
2004509245.tif 000017
2004509245.tif 000018
2004509245.tif 000019
2004509245.tif 000020
2004509245.tif 000021
2004509245.tif 000022
2004509245.tif 000023
2004509245.tif 000024
2004509245.tif 000025
2004509245.tif 000026
2004509245.tif 000027
2004509245.tif 000028
2004509245.tif 000029
【手続補正書】
【提出日】平成14年3月4日(2002.3.4)
【手続補正１】
【補正対象書類名】明細書
【補正対象項目名】特許請求の範囲
【補正方法】変更
【補正の内容】
【特許請求の範囲】
【請求項１】
個別的に区画されるようにセル形態で配置された複数の納骨室と、休憩及び便宜施設と、前記納骨室と休憩及び便宜施設を中央集中式に管理するための中央集中管理空間とが形成された納骨用施設物であって、
前記複数の納骨室の各々は、
インターネット網と連結している中央管理サーバーとネットワーク通信網により連結し、
前記お墓参りを撮影し、前記お墓参りに参加できない遠隔地の遺族との画像対話のための無人カメラ；
前記インターネットに連結して前記無人カメラから映像資料を受信して前記中央管理サーバーに転送し、前記遠隔地の遺族の画像情報を前記中央管理サーバーから受信し、故人と関連した情報を保管し管理するためのコンピュータシステム；及び、
前記コンピュータシステムと連結して前記遠隔地遺族の画像情報と前記故人に関連した情報をディスプレイするディスプレイ装置を含むことを特徴とする独立 区画型納骨用施設物。
【請求項２】
前記納骨室は、
納骨室の内部と外部を離隔させて前記納骨室内の出入者を統制するための出入り口；
お墓参りが行われる空間；及び、
個人、家族または特定団体別に納骨と遺品を保管する納骨箱をさらに含むことを特徴とする請求項１に記載の独立区画型納骨用施設物。
【請求項３】
前記お墓参りが行われる空間は、
前記納骨箱に隣接して適切な位置に故人の位牌、遺影及び供物を並べる祭壇；及び、
前記お墓参りのための用品を保管する収納空間をさらに含むことを特徴とする請求項２に記載の独立区画型納骨用施設物。
【国際調査報告】
2004509245.tif 000030